(57)【要約】【課題】パチンコ台遊技機の下皿の下方に配設される玉受け部における玉受け面から立設する壁部の高さを実質的に高くすることによって、下皿から玉受け部に落下したパチンコ玉を玉受け部から跳ね出にくくすることができるパチンコ台遊技機の出玉計数装置を提供する。【解決手段】パチンコ台遊技機の下皿とカウンターの上面との間に配設される玉受け部２と、パチンコ台遊技機の側方に設置された玉回収部に連結される回収部連結部と、前記下皿から落下して玉受け部２に受け取られたパチンコ玉を前記回収部連結部に案内する玉案内部３と、前記玉回収部に回収されるパチンコ玉を計数する玉計数ユニットと、玉受け部２に着脱自在で玉受け部２に装着された状態において玉受け部２における玉受け面２１から起立する壁部２５ａ,２５ｂから上方に延出する延出壁部材７とを備えている。【選択図】図３
2009089786.tif 000002
【特許請求の範囲】
【請求項１】
パチンコ台遊技機の下皿とカウンターの上面との間に配設される玉受け部と、パチンコ台遊技機の側方に設置された玉回収部に連結される回収部連結部と、前記下皿から落下して前記玉受け部に受け取られたパチンコ玉を前記回収部連結部に案内する玉案内部と、前記玉回収部に回収されるパチンコ玉を計数する玉計数ユニットと、前記玉受け部に着脱自在で該玉受け部に装着された状態において該玉受け部における玉受け面から起立する壁部から上方に延出する延出壁部材と、を備えたパチンコ台遊技機の出玉計数装置。
【請求項２】
前記壁部は、前壁部及び該前壁部の両端部にそれぞれ連結された一対の側壁部を備え、略コ字形状を有しており、
前記延出壁部材は、略コ字形状を有し、前記玉受け部に装着された状態において前記前壁部及び前記側壁部の内側に沿って配設されるようになっている請求項１に記載のパチンコ台遊技機の出玉計数装置。
【請求項３】
前記玉受け部は係合溝部を有し、
前記延出壁部材は、前記玉受け部に装着された状態において前記係合溝部に係合する係合爪部を有している請求項１又は２に記載のパチンコ玉計数装置。
【請求項４】
前記パチンコ台遊技機は、開口を前面に有する本体枠と、前記下皿を前面に有する本体扉とを備え、該本体扉は、前記本体枠の前方に開閉自在に該本体枠に軸支されると共に該本体枠の前記開口を閉鎖するようになっており、
前記延出壁部材は、前記玉受け部に装着された状態において、前記本体枠に対する前記本体扉の開閉を阻害するように構成されていると共に、前記玉受け部は、前記延出壁部材が該玉受け部に装着されていない状態において、前記本体枠に対する前記本体扉の開閉を阻害しないように構成されている請求項１〜３の何れかに記載のパチンコ台遊技機の出玉計数装置。
【請求項５】
前記玉受け部におけるパチンコ台遊技機側の上縁部は、パチンコ台遊技機側に斜めに傾斜している請求項１〜４の何れかに記載のパチンコ台遊技機の出玉計数装置。
【発明の詳細な説明】
【技術分野】
【０００１】
本発明は、パチンコ台遊技機の下皿とカウンターの上面との間に配設される玉受け部と、パチンコ台遊技機の側方に設置された玉回収部に連結される回収部連結部と、玉受け部から落下して玉受け部に受け取られたパチンコ玉を回収部連結部に案内する玉案内部と、玉回収部に回収されるパチンコ玉を計数する玉計数ユニットとを備えたパチンコ台遊技機の出玉計数装置に関する。
【背景技術】
【０００２】
近年のパチンコ台遊技機には、その側方（通常は、隣接するパチンコ台遊技機の間）に台側玉貸機が設置されている場合が多い。台側玉貸機によれば、パチンコ台遊技機ごとにパチンコ玉をパチンコ台遊技機の上皿（パチンコ台遊技機に供給するパチンコ玉を一時的に貯留する皿）に容易に供給することができる。
【０００３】
また、遊技者の便宜などを図るために、台側玉貸機の下方に、「パチンコ台遊技機の下皿（パチンコ台遊技機から排出された当たり玉を一時的に貯留する皿）とカウンターの上面との間に配設される玉受け部と、パチンコ台遊技機の側方に設置された玉回収部に連結される回収部連結部と、玉受け部から落下して玉受け部に受け取られたパチンコ玉を回収部連結部に案内する玉案内部と、玉回収部に回収されるパチンコ玉を計数する玉計数ユニットとを備えたパチンコ台遊技機の出玉計数装置」を設けることが知られている（例えば、下記特許文献１参照）。
【０００４】
このような出玉計数装置における玉受け部においては、玉受け部に落下したパチンコ玉が玉受け部から跳ね出ないように、玉受け面（パチンコ玉が落下する面）から立設する壁部（前壁部、側壁部など）が設けられることが多い。このような壁部は、その高さが高いほど、パチンコ玉の跳ね出しを防止する効果が高い。
【０００５】
ところで、パチンコ台遊技機においては、玉受け面から立設する壁部の高さをあまり高くすることができない制約がある。例えば、玉受け部の上方には、玉受け部に近接してパチンコ台遊技機の下皿が配設されていることが多く、このようなパチンコ台遊技機においては、玉受け部を含む出玉計数装置を玉回収部に着脱する際に、壁部が下皿に干渉しやすい。
【０００６】
また、パチンコ台遊技機は、開口を前面に有する本体枠と、下皿などを前面に有する本体扉とを備え、該本体扉が本体枠の前方に開閉自在に本体枠に軸支されると共に本体枠の前記開口を閉鎖するようになっているものが多く、このようなパチンコ台遊技機においては、本体扉を本体枠に対して開閉する際に、壁部が本体扉に干渉しやすい。
【０００７】
【特許文献１】特開平１０−８５４４２号公報
【発明の開示】
【発明が解決しようとする課題】
【０００８】
しかしながら、特許文献１記載の出玉計数装置においては、玉受け面から立設する壁部の高さを高くすることによって、玉受け部に落下したパチンコ玉が玉受け部から跳ね出ないようにすることに関し、特段の工夫を行っていない。
【０００９】
従って、本発明の目的は、パチンコ台遊技機の下皿の下方に配設される玉受け部と、パチンコ台遊技機の側方に設置された玉回収部に連結される回収部連結部と、玉受け部から落下して玉受け部に受け取られたパチンコ玉を回収部連結部に案内する玉案内部と、玉回収部に回収されるパチンコ玉を計数する玉計数ユニットとを備えたパチンコ台遊技機の出玉計数装置において、玉受け部における玉受け面から立設する壁部の高さを実質的に高くすることによって、玉受け部に落下したパチンコ玉を玉受け部から跳ね出にくくすることができるパチンコ台遊技機の出玉計数装置を提供することにある。
【課題を解決するための手段】
【００１０】
（１）本発明は、パチンコ台遊技機の下皿とカウンターの上面との間に配設される玉受け部と、パチンコ台遊技機の側方に設置された玉回収部に連結される回収部連結部と、前記下皿から落下して前記玉受け部に受け取られたパチンコ玉を前記回収部連結部に案内する玉案内部と、前記玉回収部に回収されるパチンコ玉を計数する玉計数ユニットと、前記玉受け部に着脱自在で該玉受け部に装着された状態において該玉受け部における玉受け面から起立する壁部から上方に延出する延出壁部材と、を備えたパチンコ台遊技機の出玉計数装置である。
【００１１】
（１）の発明によれば、延出壁部材は、玉受け部に装着された状態において玉受け部における壁部から上方に延出する。従って、延出壁部材における壁部から延出する部分が、壁部の高さを実質的に高くすることになる。そのため、玉受け部に落下したパチンコ玉を玉受け部から跳ね出にくくすることができる。
【００１２】
（２）  （１）の発明においては、前記壁部は、前壁部及び該前壁部の両端部にそれぞれ連結された一対の側壁部を備え、略コ字形状を有しており、前記延出壁部材は、略コ字形状を有し、前記玉受け部に装着された状態において前記前壁部及び前記側壁部の内側に沿って配設されるようになっていることが好ましい。
【００１３】
（２）の発明によれば、玉受け部における前壁部及び側壁部の高さを実質的に高くすることができる。そのため、下皿から玉受け部に落下したパチンコ玉は、前壁部側や側壁部側に多少飛び跳ねたとしても、延出壁部材に跳ね返って玉受け部に戻りやすく、玉受け部の外に飛び出しにくい。
【００１４】
（３）  （１）又は（２）の発明においては、前記玉受け部は係合溝部を有し、前記延出壁部材は、前記玉受け部に装着された状態において前記係合溝部に係合する係合爪部を有していることが好ましい。
【００１５】
（３）の発明によれば、延出壁部材の係合爪部を玉受け部の係合溝部に係合させることにより、延出壁部材を玉受け部から外れにくく、延出壁部材の装着位置をずれにくくすることができる。
【００１６】
（４）  （１）〜（３）の発明においては、前記パチンコ台遊技機は、開口を前面に有する本体枠と、前記下皿を前面に有する本体扉とを備え、該本体扉は、前記本体枠の前方に開閉自在に該本体枠に軸支されると共に該本体枠の前記開口を閉鎖するようになっており、前記延出壁部材は、前記玉受け部に装着された状態において、前記本体枠に対する前記本体扉の開閉を阻害するように構成されていると共に、前記玉受け部は、前記延出壁部材が該玉受け部に装着されていない状態において、前記本体枠に対する前記本体扉の開閉を阻害しないように構成されていることが好ましい。
【００１７】
（４）の発明によれば、開口を前面に有する本体枠と下皿を前面に有する本体扉とを備え、該本体扉が本体枠の前方に開閉自在に本体枠に軸支されると共に本体枠の前記開口を閉鎖するようになっているパチンコ台遊技機と組み合わせて使用される出玉計数装置においても、玉受け部における壁部の高さを実質的に高くすることができる。
【００１８】
（５）  （１）〜（４）の発明においては、前記玉受け部におけるパチンコ台遊技機側の上縁部は、パチンコ台遊技機側に斜めに傾斜していることが好ましい。
【００１９】
（５）の発明によれば、玉受け部におけるパチンコ台遊技機側の上縁部がパチンコ台遊技機側に斜めに傾斜しているため、下皿から玉受け部に落下したパチンコ玉は、パチンコ台遊技機側に多少飛び跳ねたとしても、該上縁部に跳ね返って玉受け部に戻りやすく、玉受け部の外に飛び出しにくい。
【発明の効果】
【００２０】
本発明によれば、パチンコ台遊技機の下皿の下方に配設される玉受け部と、パチンコ台遊技機の側方に設置された玉回収部に連結される回収部連結部と、玉受け部から落下して玉受け部に受け取られたパチンコ玉を回収部連結部に案内する玉案内部と、玉回収部に回収されるパチンコ玉を計数する玉計数ユニットとを備えたパチンコ台遊技機の出玉計数装置において、玉受け部における玉受け面から立設する壁部の高さを実質的に高くすることによって、玉受け部に落下したパチンコ玉を玉受け部から跳ね出にくくすることができる。
【発明を実施するための最良の形態】
【００２１】
以下、本発明のパチンコ台遊技機の出玉計数装置（以下単に「出玉計数装置」ともいう）について、その好ましい一実施形態である第１実施形態に基づき、図面を参照しながら説明する。
【００２２】
図１は、第１実施形態の出玉計数装置、パチンコ台遊技機等を示す斜視図である。図２は、第１実施形態の出玉計数装置、パチンコ台遊技機等を示す正面図である。図３（ａ）は、第１実施形態の出玉計数装置において、延出壁部材が玉受け部から分離した状態を示す斜視図であり、図３（ｂ）は、延出壁部材が玉受け部に装着された状態を示す斜視図である。図４（ａ）は、延出壁部材を斜め上方から視た斜視図であり、図４（ｂ）は、延出壁部材を斜め下方から視た斜視図である。
【００２３】
図５は、第１実施形態の出玉計数装置、パチンコ台遊技機の側方に設置される玉回収部及び台側玉貸機等を示す正面図である。図６（ａ）は、連結した状態の第１実施形態の出玉計数装置を示す斜視図であり、図６（ｂ）は、分離した状態の第１実施形態の出玉計数装置を示す斜視図である。
【００２４】
図７は、第１実施形態の出玉計数装置を示す平面図である。図８は、第１実施形態の出玉計数装置を示す左側面図である。図９（ａ）は、玉案内部及び回収部連結部の内部を示す分解斜視図であり、図９（ｂ）は、玉案内部及び回収部連結部の内部を示す平面図である。図１０（ａ）及び図１０（ｂ）は、第１実施形態の出玉計数装置を玉回収部に連結し、カウンターに設置する手順を示す斜視図である。
【００２５】
図１及び図２に示すように、パチンコ台遊技機Ｐは、開口（図示せず）を前面に有する本体枠Ｐ３と、下皿Ｐ１及び上皿Ｐ２を前面に有する本体扉Ｐ４とを備えている。本体扉Ｐ４には、遊技盤Ｐ５が、本体扉Ｐ４の前面側から視認可能に設けられている。本体扉Ｐ４は、本体枠Ｐ３の前方に開閉自在に本体枠Ｐ３に軸支されると共に、本体枠Ｐ３の前記開口を閉鎖するようになっている（開閉状態については図示せず）。本体扉Ｐ４の下端は、下皿Ｐ１の下端よりも若干低い位置に位置し、従って、本体枠Ｐ３の下部は、本体扉Ｐ４によって閉鎖されない。本体枠Ｐ３における本体扉Ｐ４よりも下部の前面側に、第１実施形態の出玉計数装置１が配設される。
【００２６】
下皿Ｐ１は、パチンコ台遊技機Ｐから排出された当たり玉（出玉）を一時的に貯留する皿である。下皿Ｐ１は、その底面にシャッター（図示せず）を備えており、該シャッターを開放することにより、下皿Ｐ１に貯留されているパチンコ玉を、下皿Ｐ１の下方に配設された出玉計数装置１の玉受け部２に落下させることができるようになっている。
上皿Ｐ２は、パチンコ台遊技機Ｐに供給するパチンコ玉を一時的に貯留する皿である。
【００２７】
図１及び図２に示すように、パチンコ台遊技機Ｐの側方（通常は、隣接するパチンコ台遊技機の間）には台側玉貸機（一般的に「台間サンド」等と呼ばれている）Ｓが設置されている。台側玉貸機Ｓの前面には、硬貨投入口、ＩＣカード挿入口、パチンコ玉をパチンコ台遊技機Ｐの上皿Ｐ２に供給する玉供給ノズルＳ１、各種表示ランプ、各種表示器、各種操作ボタン等が設けられている。
【００２８】
図１、図２及び図５に示すように、台側玉貸機Ｓの下方には、パチンコ玉を回収する玉回収部Ｒが、台側玉貸機Ｓと一体的に設置されている。玉回収部Ｒの前面には、第１実施形態の出玉計数装置１における回収部連結部４が連結される連結開口部Ｒ１〔図１０（ａ）参照〕が設けられている。
【００２９】
第１実施形態の出玉計数装置は、図１〜図８に示すように、パチンコ台遊技機Ｐの下皿Ｐ１とカウンターＱの上面との間に配設される玉受け部２と、パチンコ台遊技機Ｐの側方に設置された玉回収部Ｒに連結される回収部連結部４と、下皿Ｐ１から落下して玉受け部２に受け取られたパチンコ玉を回収部連結部４に案内する玉案内部３と、玉回収部Ｒに回収されるパチンコ玉を計数する玉計数ユニット（図示せず）と、玉受け部２に着脱自在で玉受け部２に装着された状態において玉受け部２における玉受け面２１から起立する壁部２５ａ，２５ｂから上方に延出する延出壁部材７とを備えている。
【００３０】
玉受け部２は、下皿Ｐ１から落下したパチンコ玉を受け取る構成部位であり、玉受け部２の上面における前側（パチンコ台遊技機Ｐとは反対側）は、図３及び図７に示すように、玉受け面２１を構成している。玉受け面２１は、下皿Ｐ１の前記シャッターの下方に位置し、ゴムなどの弾性体から形成されており、これにより、下皿Ｐ１から玉受け部２の玉受け面２１に落下したパチンコ玉の跳ね返りが抑制される。
【００３１】
玉受け面２１は、玉案内部３に向けて下がるように傾斜している。図７に示すように、玉受け面２１における最低部分２１ａ近傍には、上方に向けて突出する受け面突起２１ｂが設けられている。受け面突起２１ｂは、略円柱形状を有している。受け面突起２１ｂの高さ（玉受け面２１からの高さ）は、好ましくは５〜８ｍｍ、更に好ましくは６〜７ｍｍである。受け面突起２１ｂの横断面の最大径は、好ましくは５〜８ｍｍ、更に好ましくは６〜７ｍｍである。
【００３２】
第１実施形態においては、玉受け面２１は、玉受け部２の前側から後ろ側に向けて且つ玉受け部２から回収部連結部４に向けて下がるように傾斜している。従って、最低部分２１ａは、玉受け面２１における後ろ側（パチンコ台遊技機Ｐ側）で且つ回収部連結部４側の端部近傍に立設している。
【００３３】
玉受け部２の前部（パチンコ台遊技機Ｐとは反対側）及び側部には、図７に示すように、それぞれ玉受け面２１から起立する前壁部２５ａ及び一対の側壁部２５ｂが設けられている。一対の側壁部２５ｂは、前壁部２５ａの両端部にそれぞれ連結されている。前壁部２５ａ及び側壁部２５ｂは、滑らかに連続し、平面視で略コ字形状を有している。
【００３４】
玉受け部２におけるパチンコ台遊技機Ｐ側（後ろ側）の上縁部２３は、図３及び図７に示すように、パチンコ台遊技機Ｐ側に向けて斜めに傾斜している。上縁部２３の傾斜角度は、水平方向に対して、好ましくは３０〜６０度であり、更に好ましくは４０〜５０度である。傾斜している上縁部２３の長さ（傾斜方向に沿う長さ）は、好ましくは５〜２０ｍｍであり、更に好ましくは１０〜１５ｍｍである。
【００３５】
玉受け部２における玉受け面２１と上縁部２３との間の領域（以下「導入領域」という）２４は、玉受け面２１に受け止められたパチンコ玉を玉案内部３の玉案内路６（詳細は後述）へ導入する領域となっている。
【００３６】
玉受け部２は、係合溝部２６を有している。第１実施形態においては、係合溝部２６は、玉受け部２の導入領域２４に、パチンコ玉Ｔの流れ方向に縞状に延びるように設けられている。係合溝部２６は、上下方向に貫通していてもよく、有底の凹部でもよい。
【００３７】
図３及び図８に示すように、延出壁部材７は、玉受け部２に着脱自在な部材である。そして、延出壁部材７は、玉受け部２に装着された状態において玉受け部２における玉受け面２１から起立する壁部（前壁部２５ａ、側壁部２５ｂ）から上方に延出する。壁部２５ａ，２５ｂの上端からの延出壁部材７の延出高さは、好ましくは１６．０〜１８．５ｍｍ、更に好ましくは１６．５〜１８．０ｍｍである。
【００３８】
図４に示すように、延出壁部材７は、左側板部７２ａと前板部７１と右側板部７２ｂとが略コ字形状に連結されて形成されている。そのため、図３及び図７に示すように、延出壁部材７は、玉受け部２に装着された状態において、玉受け部２における前壁部２５ａ及び一対の側壁部２５ｂの内側に沿って配設される。図３及び図８に示すように、左側板部７２ａ、前板部７１及び右側板部７２ｂの下端は、玉受け面２１の傾斜形状に対応して傾斜しており、そのため、延出壁部材７は、玉受け部２に装着された状態においてガタ付くことはない。
【００３９】
図３及び図７に示すように、延出壁部材７の左側板部７２ａの後端は、玉受け面２１における最低部分２１ａの近傍に位置しており、導入領域２４には全く又はほとんど位置していない。そのため、延出壁部材７の左側板部７２ａが、導入領域２４から玉案内部３に流れるパチンコ玉の流れを阻害することはない。
延出壁部材７の右側板部７２ｂの後端は、玉受け面２１よりも後方に延出し、導入領域２４に位置している。
【００４０】
延出壁部材７は、玉受け部２に装着された状態において係合溝部２６に係合する係合爪部７３を有している。第１実施形態においては、延出壁部材７の右側板部７２ｂの後端近傍に、２個の係合爪部７３が下向きに延出するように設けられている。係合爪部７３は、延出壁部材７が玉受け部２に装着された状態において、導入領域２４における係合溝部２６に係合する。
【００４１】
延出壁部材７は、例えば樹脂や金属からなり、好ましくは樹脂の射出成形により形成される。
【００４２】
延出壁部材７は、玉受け部２に装着された状態において、パチンコ台遊技機Ｐにおける本体枠Ｐ３に対する本体扉Ｐ４の開閉を阻害する。つまり、本体扉Ｐ４を本体枠Ｐ３に対して開閉する際に、延出壁部材７が本体扉Ｐ４に干渉する。
一方、玉受け部２は、延出壁部材７が玉受け部２に装着されていない状態において、本体枠Ｐ３に対する本体扉Ｐ４の開閉を阻害しない。つまり、本体扉Ｐ４を本体枠Ｐ３に対して開閉する際に、玉受け部２は本体扉Ｐ４に干渉しない。
【００４３】
玉受け部２は、図２、図５及び図８に示すように、その下部に、長さを変更自在な脚部２２を備えている。脚部２２の長さを変更させる構成は、特に制限されず、例えば、スライド自在に組み合わされた２部材を、ネジによる締め付けにより所定長さに固定自在とした構成が挙げられる。
脚部２２は、図８に示すように係合部２２ａを備えている。係合部２２ａは、脚部２２の下端部から脚部２２の径方向に延出するように環状に形成されている。
【００４４】
図２、図５、図８に示すように、玉受け部２の下方にはカウンターＱが配設されており、カウンターＱの上面には被係合部Ｑ１が設けられている。被係合部Ｑ１は、脚部２２の係合部２２ａをパチンコ玉の流れ方向にスライドして係合可能なように、対向する逆Ｌ字状のスライド溝Ｑ２，Ｑ２を有している。脚部２２の係合部２２ａと被係合部Ｑ１との係合方向は、一般的に、パチンコ台遊技機Ｐの前面に沿う方向又はカウンターＱの前縁部に沿う方向でもある。
【００４５】
玉案内部３は、図１、図２、図５、図６及び図７に示すように、玉受け部２に受け取られたパチンコ玉を回収部連結部４に案内する構成部位である。玉案内部３は、図６に示すように、パチンコ玉の流れ方向に分離自在となっている。パチンコ玉の流れ方向とは、パチンコ玉が玉受け部２から回収部連結部４に向けて流れ、回収部連結部４に案内される方向である。第１実施形態の出玉計数装置１を所定位置に設置した状態では、パチンコ玉の流れ方向は、一般的に、水平方向で且つパチンコ台遊技機Ｐの前面及びカウンターＱの前縁部に平行な方向である。
【００４６】
第１実施形態においては、玉案内部３は、図６に示すように、玉受け部２側の第１案内部３１と回収部連結部４側の第２案内部３２との２体に分離することができる。
図６及び図７に示すように、玉受け部２側の第１案内部３１と玉受け部２とは一体的に構成されている。
【００４７】
回収部連結部４は、図１、図２及び図１０に示すように、パチンコ台遊技機Ｐの側方に設置された玉回収部Ｒに連結される構成部位である。第１実施形態においては、玉案内部３の第２案内部３２と回収部連結部４とは一体的に構成されている。
別の見方をすると、第１実施形態においては、玉受け部２及び玉案内部３の第１案内部３１から第１本体５１が構成され、玉案内部３の第２案内部３２及び回収部連結部４から第２本体５２が構成されており、第１実施形態の出玉計数装置１は、連結・分離自在な第１本体５１及び第２本体５２から構成されている。
【００４８】
第１案内部３１及び第２案内部３２からなる玉案内部３は、略矩形管状に形成されている。第１案内部３１における第２案内部３２側の端部には、第２案内部３２に嵌合可能な嵌合片３１ａが設けられている。第２案内部３２（第２本体５２）における第１案内部３１側の端部は、第１案内部３１の嵌合片３１ａが嵌合されることで、第１案内部３１（第１本体５１）と連結可能になっている。
【００４９】
図８〜図１０に示すように、回収部連結部４における玉回収部Ｒに連結される側の端部には、連結開口部Ｒ１に嵌合可能な嵌合片４２が設けられている。回収部連結部４（第２本体５２）における玉回収部Ｒ側の端部は、嵌合片４２を連結開口部Ｒ１に嵌合することで、玉回収部Ｒと連結可能になっている。
玉案内部３の第２案内部３２及び回収部連結部４からなる第２本体５２は、図９（ａ）に示すように、上部基体５２ａと下部基体５２ｂとの上下２体に分離自在に構成されている。上部基体５２ａと下部基体５２ｂとの連結には、例えば複数本のネジが用いられる。
【００５０】
図９に示すように、玉案内部３及び回収部連結部４には、それらの全域に亘って、玉受け部２に受け止められたパチンコ玉を玉回収部Ｒに案内する玉案内路６が形成されている。玉案内路６の下面は、玉受け部２側の端部から玉回収部Ｒ側の端部に向けて低くなるように傾斜している。玉案内路６は、パチンコ玉Ｔを２列に整列させて案内できるように構成されている。具体的には、玉案内路６には、玉分離板６１が、玉案内路６を幅方向に２分するように起立して設けられている。
【００５１】
玉分離板６１は、玉案内部３における玉受け部２側の端部近傍から徐々に起立高さが高くなっており、この端部からある程度離れた位置から玉回収部Ｒ側の端部の間においては、略一定の高さとなっている。そのため、玉受け部２の導入領域２４に位置するパチンコ玉Ｔは、２列に区画された玉案内路６に略均等に分散して導入される。
【００５２】
玉案内路６の下面は、格子状に形成され、開口部６２を多数有している。詳細には、格子状の玉案内路６の下面は、パチンコ玉Ｔの流れ方向に縞状に延びる複数本の縦縞部材６３、及びパチンコ玉Ｔの流れ方向と直交し且つ水平方向に延びる複数本の横縞部材６４から構成されている。横縞部材６４は、縦縞部材６３の下部を繋ぐように設けられている。従って、パチンコ玉Ｔは、横縞部材６４には接触せず、縦縞部材６３の上端部に線接触した状態で、縦縞部材６３の長手方向に沿って流れることになる。
【００５３】
玉案内路６の下面の面積（前記開口部６２がないと仮定した場合の面積）に対する開口部６２の総面積の割合は、好ましくは１５〜２０％であり、更に好ましくは１７〜１９％である。玉案内路６の下面に開口部６２が設けられていると、パチンコ玉Ｔと玉案内路６の下面との接触面積が減少して、両者間の摩擦抵抗を低減できると共に、玉案内路６に存在するゴミなどが玉案内路６の下方に落下するという利点がある。
【００５４】
図９に示すように、玉案内部３には、玉案内部３を流れるパチンコ玉Ｔにおける垂直方向の移動を規制する玉規制手段３３が設けられている。第１実施形態における玉規制手段３３は、水平方向に且つパチンコ玉Ｔの流れ方向に直交する方向に延びる棒材から形成されている。玉規制手段３３を形成する該棒材は、玉案内路６を流れるパチンコ玉の上端よりも若干高い位置に玉案内路６を横断して配設されている。玉規制手段３３によれば、パチンコ玉Ｔが２段になって玉案内部３の玉案内路６を流れ、回収部連結部４に案内されることを防止でき、パチンコ玉Ｔの計数精度を向上できる。
【００５５】
玉案内路６は、図９に示すように、回収部連結部４において四半円弧状に湾曲し、玉案内路６を流れてきたパチンコ玉Ｔを、玉回収部Ｒに前側から後ろ側に向けて案内することができるようになっている。
【００５６】
回収部連結部４は、図９及び図１０に示すように、着脱機構４１を備えており、着脱機構４１により玉回収部Ｒに着脱自在に連結される。着脱機構４１は、玉回収部Ｒに設けられた被係止部（図示せず）に対して回動して係止される係止片４１ａと、係止片４１ａを回動する鍵４１ｂとからなる。着脱機構４１は、係止片４１ａを玉回収部Ｒの前記被係止部に係止させることにより、回収部連結部４（出玉計数装置１）と玉回収部Ｒとを固定することができる。また、鍵４１ｂを所定方向に回転させ、係止片４１ａを回動させることにより、回収部連結部４（出玉計数装置１）と玉回収部Ｒとの固定を解除することができる。
【００５７】
玉計数ユニット（図示せず）は、パチンコ玉を計数するユニットであり、センサー等から構成されている。玉計数ユニットは、通常、玉案内部３、回収部連結部４又は玉回収部Ｒの何れかに設置されており、玉案内部３、回収部連結部４及び玉回収部Ｒを順次流れるパチンコ玉を計数できるように構成されている。
【００５８】
玉計数ユニットにより計数されたパチンコ玉は、玉回収部Ｒの後ろ側の排出口（図示せず）から、パチンコ台遊技機島の内部に設けられたパチンコ玉の回収装置（図示せず）に導入され、循環使用される。
【００５９】
玉案内部３は、不正防止手段を備え、正規のパチンコ玉のみを計数できるように構成されている。不正行為としては、例えば、パチンコ玉に類似した球を数珠状に繋いだ不正道具を玉計数ユニットに通過させることによって計数させた後、該不正道具を引き抜いてパチンコ玉の計数を不正に増加させる行為がある。このような不正行為を防止する不正防止手段としては、図９に示すように、パチンコ玉Ｔの流れ方向には回転可能であるが、その逆方向には回転不能に構成されている防止爪３５が挙げられる。この防止爪３５が玉計数ユニットの上流側に設けられることにより、前記不正道具を引き抜こうしても該不正道具が防止爪３５に引っ掛かり、該不正道具を引き抜くこと、即ち前記不正行為を防止することができる。
【００６０】
パチンコ玉（当たり玉）は以下のように玉回収部Ｒに回収される。詳細には、パチンコ台遊技機Ｐの下皿Ｐ１に大量のパチンコ玉（当たり玉）が貯まった場合には、下皿Ｐ１の下部に設けられたシャッター（図示せず）を解放し、パチンコ玉を玉受け部２に落下させることができる。落下したパチンコ玉は、玉受け部２に受け止められた後、玉案内部３を流れ、回収部連結部４に案内され、玉回収部Ｒに導入されて回収される。
【００６１】
第１実施形態の出玉計数装置１は、例えば以下の手順で所定箇所に設置することができる。図１０（ａ）に示すように、まず、第２本体５２（一体化している回収部連結部４及び玉案内部３の第２案内部３２）を前側から後ろ側に向けて移動させて、回収部連結部４を玉回収部Ｒに連結する。次に、玉受け部２の脚部２２の長さを所定長さに調整する。次いで、図１０（ｂ）に示すように、玉受け部２の脚部２２における係合部２２ａを、カウンターＱの上面に設けられた被係合部Ｑ１にパチンコ玉の流れ方向にスライドさせながら係合する。
【００６２】
そして、第１本体５１（一体化している玉受け部２及び玉案内部３の第１案内部３１）を第２案内部３２に連結する。その結果、玉受け部２がパチンコ台遊技機Ｐの下皿Ｐ１の下方に配設される。その後、下皿Ｐ１と玉受け部２との間の空間を通じて、延出壁部材７を玉受け部２に装着する。また、延出壁部材７の係合爪部７３を、玉受け部２の係合溝部２６に係合させる。
【００６３】
このように、第１実施形態の出玉計数装置１においては、延出壁部材７は玉受け部２に着脱自在であるため、延出壁部材７が装着されていない出玉計数装置１を玉回収部Ｒに連結した後に、延出壁部材７を玉受け部２に装着することができる。そのため、延出壁部材７が玉受け部２に装着された状態では、延出壁部材７における前壁部２５ａ及び側壁部２５ｂから延出する部分が、前壁部２５ａ及び側壁部２５ｂの高さを実質的に高くすることになる。そのため、玉受け部２に落下したパチンコ玉Ｔを玉受け部２から跳ね出にくくすることができる。
【００６４】
また、延出壁部材７を装着しない状態で出玉計数装置１を玉回収部Ｒに連結することができるため、パチンコ台遊技機Ｐの下皿Ｐ１が玉受け部２に近接していたとしても、玉受け部２を含む出玉計数装置１を下皿Ｐ１に干渉させることなく、容易に玉回収部Ｒに連結することができる。
【００６５】
下皿から玉受け部に落下したパチンコ玉は、前壁部２５ａ側（パチンコ台遊技機Ｐとは反対側）や側壁部２５ｂ側に多少飛び跳ねたとしても、延出壁部材７に跳ね返って玉受け部２に戻りやすく、玉受け部２の外に飛び出しにくい。
【００６６】
延出壁部材７の係合爪部７３を玉受け部２の係合溝部２６に係合させることにより、玉受け部２から延出壁部材７が外れにくく、延出壁部材７の装着位置をずれにくくすることができる。
【００６７】
パチンコ台遊技機Ｐにおいては、開口を前面に有する本体枠Ｐ３と下皿Ｐ１を前面に有する本体扉Ｐ４とを備え、本体扉Ｐ４が本体枠Ｐ３の前方に開閉自在に本体枠Ｐ３に軸支されると共に本体枠Ｐ３の前記開口を閉鎖するようになっていることが多い。このようなパチンコ台遊技機Ｐにおいても、本体枠Ｐ３に対して本体扉Ｐ４を開ける必要があるときには、延出壁部材７を玉受け部２から取り外せば、本体枠Ｐ３に対して本体扉Ｐ４を開閉することができる。本体枠Ｐ３に対して本体扉Ｐ４を閉じた後、延出壁部材７を玉受け部２に装着すれば、壁部２５ａ，２５ｂの高さを再度、実質的に高くすることができる。
【００６８】
玉受け部２におけるパチンコ台遊技機Ｐ側の上縁部２３がパチンコ台遊技機Ｐ側に斜めに傾斜しているため、下皿Ｐ１から玉受け部２に落下したパチンコ玉は、パチンコ台遊技機Ｐ側に多少飛び跳ねたとしても、上縁部２３に跳ね返って玉受け部２に戻りやすく、玉受け部２の外に飛び出しにくい。
【００６９】
回収部連結部４を前側から後ろ側に向けて移動させて玉回収部Ｒに連結した後、玉受け部２をパチンコ玉の流れ方向に移動させて、玉案内部３を介して回収部連結部４に連結することできるため、玉回収部Ｒへの出玉計数装置１の連結作業が容易である。また、玉受け部２の脚部２２の係合部２２ａがカウンターＱの被係合部Ｑ１に係合されるため、カウンターＱに対する玉受け部２の設置位置がずれにくい。
【００７０】
玉受け部２の玉受け面２１は、玉案内部３に向けて下がるように傾斜しており、玉受け面２１における最低部分２１ａには受け面突起２１ｂが設けられている。そのため、玉受け部２の玉受け面２１の最低部分２１ａに向けて流れるパチンコ玉は、受け面突起２１ｂに当たって流れ方向が分散し、勢いが抑制される。そのため、パチンコ玉は、玉案内部３にスムーズに流入し、玉案内部３に詰まりにくい。
【００７１】
本発明のパチンコ台遊技機の出玉計数装置は、前述した実施形態に制限されることなく、適宜変更が可能である。例えば、延出壁部材７は、玉受け部２に装着された状態において玉受け部２の前壁部２５ａのみから上方に延出する形状又は側壁部２５ｂのみから上方に延出する形状を有していてもよい。また、延出壁部材７は、略Ｌ字形状又は略矩形枠状（略ロ字形状）を有していてもよい。
【００７２】
玉受け部２における壁部は、玉受け部２における後ろ側（パチンコ台遊技機Ｐ側）にも設けられていてもよい。
係合溝部２６は、第１実施形態においては、玉受け部２の導入領域２４に設けられているが、これに制限されず、例えば玉受け部２の玉受け面２１に設けることができる。
玉案内部３は、第１実施形態においては２体に分離自在に構成されていたが、これに制限されず、３体以上に分離自在に構成することができる。
【図面の簡単な説明】
【００７３】
【図１】第１実施形態の出玉計数装置、パチンコ台遊技機等を示す斜視図である。
【図２】第１実施形態の出玉計数装置、パチンコ台遊技機等を示す正面図である。
【図３】（ａ）は、第１実施形態の出玉計数装置において、延出壁部材が玉受け部から分離した状態を示す斜視図であり、（ｂ）は、延出壁部材が玉受け部に装着された状態を示す斜視図である。
【図４】（ａ）は、延出壁部材を斜め上方から視た斜視図であり、（ｂ）は、延出壁部材を斜め下方から視た斜視図である。
【図５】第１実施形態の出玉計数装置、パチンコ台遊技機の側方に設置される玉回収部及び台側玉貸機等を示す正面図である。
【図６】（ａ）は、連結した状態の第１実施形態の出玉計数装置を示す斜視図であり、（ｂ）は、分離した状態の第１実施形態の出玉計数装置を示す斜視図である。
【図７】第１実施形態の出玉計数装置を示す平面図である。
【図８】第１実施形態の出玉計数装置を示す左側面図である。
【図９】（ａ）は、玉案内部及び回収部連結部の内部を示す分解斜視図であり、（ｂ）は、玉案内部及び回収部連結部の内部を示す平面図である。
【図１０】（ａ）及び（ｂ）は、第１実施形態の出玉計数装置を玉回収部に連結し、カウンターに設置する手順を示す斜視図である。
【符号の説明】
【００７４】
１  パチンコ台遊技機の出玉計数装置
２  玉受け部
２１  玉受け面
２１ａ  最低部分
２２  脚部
２２ａ  係合部
２３  上縁部
２５ａ  前壁部（壁部）
２５ｂ  側壁部（壁部）
２６  係合溝部
３  玉案内部
４  回収部連結部
５１  第１本体
５２  第２本体
７  延出壁部材
７３  係合爪部
Ｐ  パチンコ台遊技機
Ｐ１  下皿
Ｐ３  本体枠
Ｐ４  本体扉
Ｑ  カウンター
Ｒ  玉回収部
Ｒ１  連結開口部
Ｓ  台側玉貸機
Ｔ  パチンコ玉
【図１】
2009089786.tif 000003
【図２】
2009089786.tif 000004
【図３】
2009089786.tif 000005
【図４】
2009089786.tif 000006
【図５】
2009089786.tif 000007
【図６】
2009089786.tif 000008
【図７】
2009089786.tif 000009
【図８】
2009089786.tif 000010
【図９】
2009089786.tif 000011
【図１０】
2009089786.tif 000012